(57)【要約】【課題】描画された絵を単に平面的でなく、視覚的効果、とりわけ立体的視覚効果が得られるように鑑賞可能な立体描画セットを提供する。【解決手段】黒色又は暗色の背景台紙11と、前記背景台紙11に対し固定されるとともにこれを被覆する透明シート12と、前記透明シート12上に有彩色で描画可能かつ消去容易な筆記具30とを備えたことを特徴とする立体描画セット10。前記筆記具30は、少なくとも赤色及び青色で描画可能なものである。【選択図】図１
2012176600.tif 000002
【特許請求の範囲】
【請求項１】
黒色又は暗色の背景台紙と、
前記背景台紙に対し固定されるとともにこれを被覆する透明シートと、
前記透明シート上に有彩色で描画可能かつ消去容易な筆記具とを備えたことを特徴とする立体描画セット。
【請求項２】
前記背景台紙と前記透明シートとの間に着脱自在に挿入可能な下絵シートをさらに備えたことを特徴とする請求項１記載の立体描画セット。
【請求項３】
前記背景台紙と前記透明シートとの間に着脱自在に挿入可能な白色台紙をさらに備えたことを特徴とする請求項１又は２記載の立体描画セット。
【請求項４】
前記筆記具は、少なくとも赤色及び青色で描画可能なものであることを特徴とする請求項１、２又は３記載の立体描画セット。
【請求項５】
前記筆記具としてさらに、赤色及び青色以外の色相で描画可能であるものを備えたことを特徴とする請求項４記載の立体描画セット。
【発明の詳細な説明】
【技術分野】
【０００１】
本発明は、黒色又は暗色の背景台紙を被覆する透明シート上に、立体視が可能となるような描画をすることが可能な立体描画セットに関する。
【背景技術】
【０００２】
従来、下記特許文献１〜３のように、下絵の上を被覆する透明シート上にフェルトペンやクレヨン等の筆記具で該下絵をなぞるように描画可能な描画セットが提供されている。
【先行技術文献】
【特許文献】
【０００３】
【特許文献１】ＷＯ  ２００９／０３５８００  Ａ１
【特許文献２】実開平７−１２１９８号公報
【特許文献３】実用新案登録第３０３２７７６号公報
【発明の概要】
【発明が解決しようとする課題】
【０００４】
上記従来技術では、下絵を手本としての描画は可能であるが、描かれた絵はあくまで平面的にしか見えないものである。よって、絵を描くこと自体、また、その平面的な絵を見て楽しむ以外の付加的な楽しみ方は提供されていないものであった。
そこで本発明は、描画された絵を単に平面的でなく、視覚的効果、とりわけ立体的視覚効果が得られるように鑑賞可能な立体描画セットを提供することを課題とする。
【課題を解決するための手段】
【０００５】
（１）第１の発明
上記課題に鑑み、本件発明のうち第１の発明に係る立体描画セット10は、黒色又は暗色の背景台紙11と、前記背景台紙11に対し固定されるとともにこれを被覆する透明シート12と、前記透明シート12上に有彩色で描画可能かつ消去容易な筆記具30とを備えたことを特徴とする。
「背景台紙11」とは、黒色又は暗色で一色に塗られた台紙をいう。ここで、暗色とは、各色相において黒色に近い、低明度の色彩をいう。たとえば、暗灰色や濃紺などがこの暗色として挙げられる。なお、台紙の材質は紙、木材、合成樹脂等特に限定はない。この背景台紙11を紙で形成する場合には、たとえば黒画用紙のような、製紙段階で黒又は暗色に着色したものを使用してもよく、また、白色紙の一面を黒色又は暗色で印刷することとしてもよい。また、合成樹脂でこの背景台紙11を形成する場合、黒色又は暗色に着色された樹脂材料で成形することとしてもよく、また、成形された樹脂材料の一面を黒色又は暗色で印刷することとしてもよい。
【０００６】
「透明シート12」とは、合成樹脂、ガラス等の、このシートが被覆する背景台紙11を視認可能な程度の透明度を有する材質で形成されたシートである。この透明シート12の表面は、後述の筆記具30による描画及びその消去が可能な程度の堅牢性及び平滑性を備えていることが望ましい。
透明シート12は背景台紙11に対して固定されるものであるが、具体的には様々な固定方法が可能である。たとえば、背景台紙11の周囲を枠体20で囲んで窓状の開口部21を形成し、その開口部21に透明シート12を装着するような方法が可能である。また、透明シート12を可撓性の材料で形成し、背景台紙11と透明シート12とを各々１辺で接着又は溶着することとしてもよい。また、背景台紙11と透明シート12とをファイリングすることで固定してもよい。
【０００７】
「筆記具30」とは、透明シート12上に有彩色で描画可能かつ消去容易なものであれば特に限定されるものではない。ここで、「有彩色」とは黒・白及びこれらの混色以外の色で、彩度がプラス値であるものをいう。なお、彩度の値は、各色相において最高値又はそれに近い値であることが望ましい。また、「描画可能」とは、透明シート12の表面に、インク又は芯として形成される色材が容易に付着可能であることをいう。この色材は被覆性の高いものであることが望ましい。また、「消去容易」とは、透明シート12の表面に付着した色材が、その色材に応じた適当な手段、たとえばイレイサー、消しゴム、柔らかい布等を用いて、痕跡を残さない程度に容易に消去され得ることをいう。
【０００８】
このようにして、透明シート12上に有彩色の筆記具30で描画された立体画31は、プリズム特性のあるレンズを備えた立体メガネ40を通して見ることで、立体的に鑑賞することが可能となっている。このような立体メガネ40としては、たとえば米国クロマテック社製のクロマデプス（商品名）３Ｄメガネがある。このような立体メガネ40は、プリズムの分光特性を利用し、左右で色彩ごとに分光視差を生じさせるものである。したがって、この立体メガネ40で透明シート12上に描画された立体画31を鑑賞すると、たとえば赤色は手前に、青色は奧に見えるという視覚効果が得られる。このとき、描画された立体画31の背景は透明シート12を通して背景台紙11の黒色又は暗色バックとなっているが、このような立体的視覚効果は黒色をバックにした場合最も顕著に発揮されることとなっている。
【０００９】
（２）第２の発明
本発明のうち第２の発明は、前記第１の発明の特徴に加え、前記背景台紙11と前記透明シート12との間に着脱自在に挿入可能な下絵シート13をさらに備えたことを特徴とする。
すなわち、下絵シート13を背景台紙11と透明シート12との間に挿入することで、下絵14を手本になぞって描画することが可能となっている。そして、描画後は下絵シート12を外せば、上述の第１の発明のように立体メガネ40を使用して立体的な視覚効果を得ることができる。
（３）第３の発明
本発明のうち第３の発明は、前記第１又は第２の発明の特徴に加え、前記背景台紙11と前記透明シート12との間に着脱自在に挿入可能な白色台紙15をさらに備えたことを特徴とする。
【００１０】
前記第１の発明の項でも述べたとおり、プリズム特性のあるレンズによる色彩の分光視差を利用した立体的視覚効果は黒色を背景としたときに最も効果的である。しかし、白色を背景とした場合には、黒色背景の場合とは異なり、青緑系が手前に見え、黄色系が奥に見えるようになる。その結果、立体的視覚効果に変化をもたらすことになる。
このように白色台紙15を背景台紙11と透明シート12との間に挿入することで、描画後の立体画31の立体的視覚効果が変化することになる。
（４）第４の発明
本発明のうち第４の発明は、前記第１、第２又は第３の発明の特徴に加え、前記筆記具30は、少なくとも赤色及び青色で描画可能なものであることを特徴とする。
【００１１】
前記第１の発明の項で述べたプリズム特性のあるレンズを備えた立体メガネ40による立体的視覚効果は、特に赤色が近くに見え、青色が遠くに見えるように分光視差を生じさせるものである。よって、筆記具30として赤色と青色との２色を最低限備えていれば、この２色の対比による立体的視覚効果を得ることができる。
（５）第５の発明
本発明のうち第５の発明は、前記第４の発明の特徴に加え、前記筆記具30としてさらに、赤色及び青色以外の色相で描画可能であるものを備えたことを特徴とする。
赤色及び青色以外の色相、たとえば橙色、黄色、緑色のような色彩は、前記第１の発明の項で述べたプリズム特性のあるレンズを備えた立体メガネ40による分光視差は、赤色及び青色の中間段階に位置することになる。また紫色の場合は青色よりもより遠くに見えることになる。よってこれらの色彩で描画可能な筆記具30を備えることで、赤色及び青色の筆記具30のみの場合に比べより複雑微妙な立体的視覚効果を得ることができる。
【発明の効果】
【００１２】
本発明は上記のように構成されているので、以下に記す効果を奏する。
すなわち、本発明のうち第１の発明の構成によれば、黒色又は暗色の背景台紙に固定されこれを被覆する透明シート上に、有彩色の筆記具で描画し、これをプリズム特性のあるレンズを備えた立体メガネで鑑賞すれば、黒色又は暗色を背景にして左右で色彩ごとの分光視差を生じさせることで、立体的な視覚効果を生じさせることができる。また、描画された絵は容易に消去できるので、何度も繰り返し描画を楽しむことができる。
また、第２の発明の構成によれば、第１の発明の効果に加え、下絵を手本になぞって描画することが可能となるので描画が容易になるとともに、描画後は下絵を外せば第１の発明と同様の立体的な視覚効果を楽しむことができる。
【００１３】
さらに、第３の発明の構成によれば、第１又は第２の発明の効果に加え、白色を背景にした立体的視覚効果の変化を容易に楽しむことができる。
また、第４の発明の構成によれば、第１、第２又は第３の発明の効果に加え、赤色が近くに、青色が遠くに見えるような立体的視覚効果を楽しむことが可能となる。
さらに、第５の発明の構成によれば、第４の発明の効果に加え、赤色及び青色のみの場合に比べより複雑微妙な立体的視覚効果を楽しむことが可能となる。
【図面の簡単な説明】
【００１４】
【図１】本発明の第１の実施の形態において、描画前の状態を示す斜視図である。
【図２】本発明の第１の実施の形態において、描画中の状態を示す斜視図である。
【図３】本発明の第１の実施の形態において使用される筆記具の一形態の部分断面図（Ａ）と、別の形態の断面図（Ｂ）である。
【図４】本発明の第１の実施の形態において使用される固形描画材のうち、円柱状に成形されるもの（Ａ）及び四角柱状に成形されるもの（Ｂ）をそれぞれ斜視図で示す。
【図５】本発明の第１の実施の形態において使用される固形描画具の例を斜視図で示す。
【図６】図５のVI−VI断面の一部を拡大して示す。
【図７】鉛筆削り器により切削した図５の固形描画具を斜視図で示す。
【図８】本発明の第１の実施の形態において使用される固形描画具の別の例を斜視図で示す。
【図９】本発明の第１の実施の形態において、描画後の状態を示す斜視図である。
【図１０】本発明の第１の実施の形態で使用される立体メガネを斜視図で示す。
【図１１】本発明の第１の実施の形態において、描画後の状態を示す斜視図である。
【図１２】本発明の第２の実施の形態を斜視図で示す（Ａ）とともに、描画中の状態を斜視図（Ｂ）で、及び完成前の状態を平面図（Ｃ）でそれぞれ示す。
【図１３】本発明の第３の実施の形態を斜視図で示す（Ａ）とともに、描画前の状態（Ｂ）及び描画後の状態（Ｃ）をそれぞれ斜視図で示す。
【図１４】本発明の第３の実施の形態の変形例において、描画前の状態（Ａ）及び描画後の状態（Ｂ）をそれぞれ斜視図で示す。
【発明を実施するための形態】
【００１５】
以下、図面を参照しつつ本発明の実施の形態を説明する。
（１）第１の実施の形態
本発明の第１の実施の形態に係る立体描画セット10においては、図１に示すように、長方形の黒色の背景台紙11の周囲に枠体20が形成され、その枠体20の前面の開口部21に透明シート12が装着されている。すなわち透明シート12は、この枠体20によって背景台紙11に固定されているものである。そして枠体20の上辺にはスリット22が形成され、そこから下絵シート13を挿入可能となっている。
下絵シート13を挿入すると、図２に示すように下絵14が透明シート12越しに視認可能となる。この状態で、筆記具30を用いて下絵14を手本になぞって描画することができる。すなわち、描画後の描線は透明シート12の表面に付着しているものである。このとき、筆記具30としては少なくとも赤色及び青色のものを使用することが望ましい。
【００１６】
この筆記具30に収納するインク組成物としては、隠蔽剤を含むものが挙げられる。すなわち、黒色又は暗色の背景台紙を被覆して立体的な視覚効果を生じさせるため、高隠蔽性の色材を含有することが好ましい。高隠蔽性の色材としては、金属酸化物、白色の樹脂粒子などが単独に用いられ、あるいは、併用されるのが普通である。特に、金属酸化物の酸化チタン又は酸化亜鉛が好適に用いられ、さらには、酸化チタンが隠蔽力の点で一般的に用いられている。
ところで、透明シート12は合成樹脂、ガラス等からなるものであるので、この筆記具30に収納するインク組成物が水性インクではない、いわゆる油性インクの組成物であれば何ら問題なく筆記及び描画が容易である。しかし、このインク組成物が、いわゆる水性インクであると、表面張力のバランスから、透明シート12には筆記及び描画を行うことが困難である。そこで、このインク組成物が水性インクの場合には、界面活性剤の添加による表面張力の調整が必要となる。用いることのできる界面活性剤としては、インク組成物の性能、安定性等に影響がなければ特に制限はなく何でも使用することができる。
【００１７】
以下に、このインク組成物が水性インクの場合の配合組成の例を示す。
（配合例１）
ジョンクリル６１Ｊ（樹脂分３１％、アンモニア中和水溶液；ＢＡＳＦジャパン社製）：９重量％
酸化チタン：６重量％
赤色２０２号：４重量％
サーフィノール４６５（界面活性剤、日信化学工業社製）：０．１重量％
水：残余
上記配合組成のうち、色材（酸化チタン、赤色２０２号）以外の成分を、先にマグネチックスターラーによって撹拌混合し、樹脂を十分に均一に溶解させた後、色材を添加し、ビーズミルによって１時間分散させて赤インクを調整した。
【００１８】
（配合例２）
ジョンクリル６１Ｊ：１０重量％
酸化チタン：４重量％
群青：４重量％
サーフィノール４８５（界面活性剤、日信化学工業社製）：０．１重量％
水：残余
配合例１の赤色２０２号を群青に入れ替えた以外は、配合例１と同様にして青インクを調整した。
【００１９】
ところで、これらの高隠蔽性のインク組成物を用いて筆記及び描画を行う際、書き間違いあるいは描画のはみ出し等の誤りが起こりうる。そのため、「修正用」として黒色又は暗色の背景台紙と同様の黒色のインク組成物が求められる。以下はその配合例である。
（配合例３）
トリエタノールアミン：１．２重量％
ジョンクリル６７（ＢＡＳＦジャパン社製）：１重量％
カーボンブラック：５重量％
サーフィノール４６５：０．１重量％
水：残余
配合例１の色材をカーボンブラックに入れ替えた以外は、配合例１と同様にして黒インクを調整した。
【００２０】
上記したような水性のインク組成物は、前記筆記具30としての、図３（Ａ）に示すような部分断面図の筆記具36に収容することができる。
この筆記具36の軸本体361は有底筒状でインク収容管を兼ねており、バルブ体362が前方に備えられている。軸本体361内には撹拌子366が封入されており、インクに含まれる酸化チタンあるいはカーボンブラック等の比重の大きな粒子が、軸本体361内で沈降してハードケーキを形成した時に再撹拌を行うことができる。
前記バルブ体362の前方にはペン芯363が配され、先軸部364により軸本体先端部を封止するとともに、バルブ体362及びペン芯363を係止している。バルブ体362には、常にこのバルブ体362を閉じるように押圧するバネ部材362aが含まれている。ペン芯363は、繊維束又は粒子の焼結体からなる連続気泡の多孔質体を含むものから構成されている。この筆記具36を使用する際には、ペン芯363を筆記される透明シート12等に押し当て（ポンピング）、バルブ体362を開放し、インクを流出させ、ペン芯363までインクを染み出させることにより、筆記及び描画が可能となる。
【００２１】
前記先軸部にはキャップ体365が装着され、ペン芯363を保護する。
筆記具36は前記の通り、水性インクが収容されるので、これら各部材は主として熱可塑性樹脂によって構成される。前記のバネ部材362aについては、ステンレス製のものが用いられる。
図３（Ｂ）の断面図に示す筆記具37は、水性インク組成物を収容する前記筆記具30としての別の形態である。上記筆記具36と同じ部材には同じ符号を付し、説明を省略する。
この筆記具37は、ペン芯363の代わりに穂筆373が設けられており、毛筆様の描線を引くことが可能となっている。ペン先が穂筆373であるので、前記筆記具36で行うようなポンピング動作を行うことができないため、軸本体371後端に設けられたノック部377をノックする動作がノック棒378を通してバルブ体362へ伝達され、バルブ体362を開閉させる。この筆記具37の撹拌子376は、軸本体371内にノック棒378が挿通されているため、円筒形となっている。
【００２２】
本発明においては、上記した通り油性インクも好適に使用することができる。以下に油性インクの配合組成の例を示す。
（配合例４）
酸化チタン：１９．７重量％
ロジン変性マレイン酸樹脂：１２．３重量％
アルキド樹脂：９．６重量％
Ｓｏｌｖｅｎｔ  Ｒｅｄ  １６８：１．３重量％
キシレン：残余
上記配合組成のうち、色材（酸化チタン、Ｓｏｌｖｅｎｔ  Ｒｅｄ  １６８）以外の成分を、先にマグネチックスターラーによって撹拌混合し、樹脂を十分に均一に溶解させた後、色材を添加し、ボールミルによって１時間分散させて赤インクを調整した。
【００２３】
（配合例５）
酸化チタン：２３．９重量％
ロジン変性マレイン酸樹脂：１２．７重量％
アルキド樹脂：８．５重量％
Ｓｏｌｖｅｎｔ  Ｂｌｕｅ  ５８：０．７重量％
キシレン：残余
以上の各成分を配合例４と同様にして青インクを調整した。
（配合例６）
カーボンブラック：７．０重量％
ロジン変性マレイン酸樹脂：１２．０重量％
アルキド樹脂：２５．０重量％
キシレン：残余
上記配合組成のうち、色材（カーボンブラック）以外の成分を、先にマグネチックスターラーによって撹拌混合し、樹脂を十分に均一に溶解させた後、色材を添加し、ボールミルによって１時間分散させて「修正用」黒インクを調整した。
【００２４】
これらの配合例４〜６の油性のインク組成物は図３（Ａ）の部分断面図に示すような筆記具36と同様の筆記具30に収容することができる。
ただし、油性のインクであるので、筆記具30の各部材は熱可塑性樹脂（ナイロン以外）の使用は忌避すべきである。特に軸本体361はアルミ等の金属製であれば問題ない。
なお、本発明においては、前記筆記具30として、前記透明シートに濃く明確に描画できれば固形描画材38でも使用することができる。たとえば、少なくとも樹脂、ワックス類、顔料、二酸化チタン、体質材からなる固形描画材38であって、樹脂としてロジン及び／又はロジンのグリセリンエステル等ロジン変成物を０．５重量％から２０重量％、ワックス類として融点４５℃以上のグリセリン脂肪酸エステル及び／又はペンタエリスリトール脂肪酸エステルを８重量％から５０重量％の範囲で含む固形描画材38を挙げることができる。
【００２５】
以下に、上記したような固形描画材38の配合例と製造方法の一例を示す。
（配合例７）
ステアリン酸グリセリド（融点６１℃）：４３重量％
ロジンエステル：１６重量％
タルク：１８重量％
二酸化チタン：１２重量％
パーマネントレッド：１１重量％
上記配合組成物をニーダーで加熱混合、分散させた後に２本ロールで混練し、この混練物をプランジャー型押出機にて押出成形して、図４（Ａ）に示すような直径８．０ｍｍの赤色の固形描画材38を得た。
【００２６】
（配合例８）
ウルシロウ（融点５２℃）：２２重量％
ロジン：９重量％
パラフィンワックス１３５Ｆ（日本精蝋）：２３重量％
マイクロクリスタリンワックス２０４５（日本精蝋）：５重量％
エチレン−酢酸ビニル共重合体：１３重量％
（酢酸ビニル含有量：２８重量％、メルトフローレート：１５０ｇ／１０分）
タルク：８重量％
二酸化チタン：１０重量％
群青：６重量％
フタロシアニンブルー：４重量％
上記配合組成物をニーダーで加熱混合、分散させた後に２本ロールで混練し、この混練物を射出機にて射出成形し、図４（Ａ）に示すような直径８．０ｍｍの青色の固形描画材38を得た。
【００２７】
（配合例９）
パラフィンワックス１５０Ｆ（日本精蝋）：３４重量％
マイクロクリスタリンワックス２０４５（融点６７℃、日本精蝋）：１０重量％
ＹＳレジンＰＸ８００（テルペン樹脂、ヤスハラケミカル）：１５重量％
タルク：１７重量％
二酸化チタン：１４重量％
群青：６重量％
フタロシアニンブルー：４重量％
上記配合組成物をニーダーで加熱混合、分散させた後に２本ロールで混練した後、加熱溶融させ、所定の型に流し込み、冷却、固化して、断面が一辺８．０ｍｍ×８．０ｍｍの図４（Ｂ）に示すような青色の固形描画材38を得た。
【００２８】
（配合例１０）
前記配合例７の配合組成物をニーダーで加熱混合、分散させた後に２本ロールで混練し、この混練物をプランジャー型押出機にて押出成形して、図５に示すような直径７．０ｍｍ、長さ１２０ｍｍの赤色の固形描画材38を得た。この固形描画材38の外周に、接着剤を含めた厚さ１００μｍ、横１３８ｍｍ、縦１２０ｍｍのポリプロピレン合成紙製の保護シート391を図６に示すように５周巻き回し、図５に示すような直径８．０ｍｍ、長さ１２０ｍｍの、前記筆記具30としての固形描画具39を得た。この固形描画具39を、三菱鉛筆製ミニ鉛筆削り器（商品名：ポケットシャープナーＤＰＳ−１０１  ＰＬＴ）を用いて、図７に示すように先端が尖るように切削した。
【００２９】
（配合例１１）
前記配合例７の配合組成物をニーダーで加熱混合、分散させた後に２本ロールで混練し、この混練物をプランジャー型押出機にて押出成形して、図８に示すような直径７．５ｍｍの赤色の固形描画材38を得た。そして、これを１０℃に保持した。一方、ポリプロピレンを射出成形し、直径８．０ｍｍ、内径７．５ｍｍの、一端が閉じた筒状の外層容器392を得た（図８参照）。この外層容器30を９０℃に保持したまま、前記固形描画材38を挿入し、図８に示すような直径８．０ｍｍの、前記筆記具30としての固形描画具39を得た。この固形描画具39を、三菱鉛筆製ミニ鉛筆削り器（商品名：ポケットシャープナーＤＰＳ−１０１  ＰＬＴ）を用いて先端が尖るように切削した。
【００３０】
これらの配合例７〜９の固形描画材38並びに配合例１０及び１１の固形描画具39は、透明シート、具体的には、プラスチック、ガラス等の平滑な非吸収面に対しても、クレヨン等に比べ、格段に濃く描画可能である。また、これらのような固形描画材は前記透明シートに描画した場合でも、布、ティッシュペーパー等紙類、ホワイトボード消去具等で容易に消去できる。そのため、前述の液体インクを用いた筆記具とは異なり、画面の修正は容易であり、「修正用」として黒色の描画材を用意する必要はない。仮に、このような「修正用」の描画剤がどうしても必要な場合には、酸化チタンあるいは有彩色の色材の代わりにカーボンブラックを添加し、同様の配合組成を同様の製造方法によって製造することができる。
【００３１】
上述の筆記具30にて描画後に下絵シート13を取り外すと、透明シート12越しに背景台紙11が視認可能となり、この黒色を背景にして透明シート12上に描かれた立体画31が見えることになる（図９参照）。この状態で、図１０に示す立体メガネ40を使用した鑑賞に供されることになる。
ここで、図１０に示す立体メガネ40としては、米国クロマテック社製のクロマデプス（商品名）３Ｄメガネが用いられる。この立体メガネ40は、紙製のメガネ枠41に、１対のマイクロプリズムレンズ42R,42Lが装着されているものである。そして、右側のマイクロプリズムレンズ42Rは、赤色は右方へ変位し、青色は左方へ変位するような分光特性を備えている。一方、左側のマイクロプリズムレンズ42Lはこの逆に、赤色は左方へ変位し、青色は右方へ変位するような分光特性を備えている。これは、同一の分光特性のマイクロプリズムレンズを、左右で逆向きにメガネ枠41に装着することで可能となる。このような分光特性の結果、立体画31のうち、赤色で描かれた部分の視差は実際の透明シート12上より大きくなるため、その部分は手前にあるように見えることになる。逆に青色で描かれた部分の視差は小さくなるので奥側に見えることになる。
【００３２】
このような立体メガネ40を用いて図９のような黒色を背景とした透明シート12上の立体画を見るときには、赤色で描かれた部分は手前に飛び出して見え、一方青色で描かれた部分は奧に引っ込んで見えることで、立体画31は立体的に視認されることとなる。
また、図１１に示すように、スリット22から白色台紙15を挿入すると、立体画31は白色を背景とすることになる。この状態で図１０の立体メガネ40を用いて鑑賞すると、青緑系が手前に見え、黄色系が奥に見えるようになり、黒色背景の場合とは異なった立体的視覚効果が得られることになる。
もちろん、下絵シート13なしで、自由なイマジネーションに基づいて立体画31を描画することも可能である。
【００３３】
そして、透明シート12上に描かれた立体画31は、柔らかい布等で拭き取れば痕跡を残さず容易に消去可能であり、何度でも別の立体画31を描画することが可能である。
（２）第２の実施の形態
第２の実施の形態に係る立体描画セット10は、図１２（Ａ）に示すように、クリアファイル状の外観を呈している。すなわち、図１２（Ｃ）に示すような、略長方形状の透明な合成樹脂シート50の右半分に黒色のシルク印刷を施すことで、この部分が背景台紙11となる。また、印刷の施されていない左半分は透明シート12となる。この合成樹脂シート50を二つ折りにして合わせた３辺のうちの１辺51を熱圧着すると図１２（Ａ）に示すような立体描画セット10が得られる。そして、図１２（Ｂ）に示すように、透明シート12上に筆記具30を用いて立体画31を描画可能であり、描画後の立体画31は透明シート12越しの背景台紙11を背景にすることで図１０に示す立体メガネ40を用いた立体的視覚効果が得られることは前記第１の実施の形態と同様である。また、透明シート12と背景台紙11との間に下絵シート13又は白色台紙15を挿入可能であることも前記第１の実施の形態と同様である。
【００３４】
（３）第３の実施の形態
第３の実施の形態に係る立体描画セット10は、図１３（Ａ）に示すように、筆記具30としての多色ペンのケース60の蓋部分61として形成されている。すなわち、ケース60の蓋部分61の内側面61aが黒色に塗られており、この部分が背景台紙11となる。そしてこの背景台紙11を被覆するように、透明な合成樹脂製の透明シート12が、その上辺を接着することで固定されている（図１３（Ｂ）参照）。なお、図１３（Ｂ）に示すように、背景台紙11と透明シート12との間には下絵シート13が挿入可能であり、筆記具30を用いて透明シート12上に立体画31を描画可能である。描画後は下絵シート13を除去すれば、図１３（Ｃ）に示すように、透明シート12越しに視認される背景台紙11を背景として立体画31が見えることになる。この状態で図１０に示す立体メガネ40を用いた立体的視覚効果が得られることは前記第１の実施の形態と同様である。背景台紙11と透明シート12との間に白色台紙15が挿入可能であることもまた同様である。
【００３５】
なお、蓋部分61を含めたケース60自体を黒色の合成樹脂で成形した場合には、そのままでその蓋部分61の内側面61aは背景台紙11として上記と同様な効果を発揮することができる。
また、本実施の形態の変形例として、図１４（Ａ）に示すように、透明シート12は可動式の中蓋62として形成することができる。もちろん、蓋部分61の内側面61aは黒色に塗られて背景台紙11となっていることは図１３と同様である。また、図１４（Ｂ）に示すように、透明シート12上に筆記具30を用いて立体画31を描画可能であることもまた同様である。
【産業上の利用可能性】
【００３６】
本発明は、黒色又は暗色の背景台紙を被覆する透明シート上に有彩色の筆記具で立体画を描画し、それを立体メガネを用いて立体視で鑑賞するような描画セットとして利用可能である。
【符号の説明】
【００３７】
10  立体描画セット        11  背景台紙              12  透明シート
13  下絵シート            14  下絵                  15  白色台紙
20  枠体                  21  開口部                22  スリット
30  筆記具                31  立体画
36  筆記具                361  軸本体                362  バルブ体
362a  バネ部材            363  ペン芯                364  先軸部
365  キャップ体            366  撹拌子
37  筆記具                371  軸本体                373  穂筆
376  撹拌子                377 ノック部              378  ノック棒
38  固形描画材
39  固形描画具            391  保護シート            392  外層容器
40  立体メガネ            41  メガネ枠
42R 右側のマイクロプリズムレンズ
42L 左側のマイクロプリズムレンズ
50  合成樹脂シート        51  熱圧着された１辺
60  ケース                61  蓋部分                61a 内側面
62  中蓋
【図１】
2012176600.tif 000003
【図２】
2012176600.tif 000004
【図３】
2012176600.tif 000005
【図４】
2012176600.tif 000006
【図５】
2012176600.tif 000007
【図６】
2012176600.tif 000008
【図７】
2012176600.tif 000009
【図８】
2012176600.tif 000010
【図９】
2012176600.tif 000011
【図１０】
2012176600.tif 000012
【図１１】
2012176600.tif 000013
【図１２】
2012176600.tif 000014
【図１３】
2012176600.tif 000015
【図１４】
2012176600.tif 000016